(57)【要約】      （修正有）【課題】集中豪雨による河川の氾濫による家屋の浸水被害や土砂災害等の想定外の規模により、電気、上下水道を含むライフラインが遮断されて、復旧に数日間を要するような想定外の非常時において、使用することのできる非常時対策用水洗トイレ設備を提供する。【解決手段】平常時は水洗トイレとして使用し、非常時は上下水道及び電気が使用できなくても使用可能な災害トイレとして使用できる水洗トイレ設備であって、便器３と、便器の上方に配置される貯水タンク２と、便器の下方に配置される汚水貯留タンク１から構成され、汚水貯留タンクは、縦型タンクであり、その内部側面は適所の高さから底面に向けてテーパ状（コーン状ともいう）に形成され、その先端部分に排出口８を設けており、排出口は、平常時には汚水貯留タンク上部より吊り下げられる漏斗栓６を開栓状態に、非常時には漏斗栓により密栓状態に保持される。【選択図】図１
2020148079.tif 000002
【特許請求の範囲】
【請求項１】
平常時は水洗トイレとして使用し、非常時は上下水道及び電気が使用できなくても使用可能な災害トイレとして使用できる水洗トイレ設備であって、便器と、便器の上方に配置される貯水タンクと、便器の下方に配置される汚水貯留タンクから構成され、該汚水貯留タンクは縦型タンクであり、その内部側面は適所の高さから底面に向けて、テーパー状に形成され、その先端部分に排出口を設けており、該排出口は、平常時には前記汚水貯留タンク上部より吊り下げられる漏斗栓を開栓状態に、非常時には前記漏斗栓により密栓状態に保持されることを特徴とする水洗トイレ設備。
【請求項２】
便器と汚水貯留タンクとを繋ぐ汚水管の途中に、フロート式弁を設けて水位が便器より上方に上昇するときに該フロート弁が作動して前記便器廻りから汚水貯留タンクへの浸水を阻止する手段を備えたことを特徴とする請求項１に記載の水洗トイレ設備。
【請求項３】
便器を地上より高い位置で、少なくとも建物の２階床面に据え付けることを基準に、便器より上方に貯水タンク、下方に汚水貯留タンクを配設して、汚水を流れ勾配で処理することを特徴とする請求項１又は２に記載の水洗トイレ設備。
【発明の詳細な説明】
【技術分野】
【０００１】  本発明は、停電、上下水道使用不能等ライフラインが遮断された場合の避難先での水洗トイレ設備に関する。
【背景技術】
【０００２】  集中豪雨による河川の氾濫による家屋の浸水被害や土砂災害等の非常時には、上下水道や電気を含むライフラインが使用できない事態が発生する。このような非常時に最も困ることには、トイレの使用が制限されることがある。【０００３】  特許文献１には、集中豪雨や災害発生等の非常時に特別な操作を必要とせず一時的に排水を貯留することができ、且つ非常時終了後にポンプ等の装置を使用することなく非常時に貯留した排水を下水本管に排出可能とする排水システムが記載されている。また、特許文献２には、平常時に使用していた水洗トイレが災害等の発生による非常時でも使用可能にした非常時対応水洗トイレシステムが記載されている。
【先行技術文献】
【特許文献】
【０００４】
【特許文献１】特開２０１７−８９３１６号公報
【特許文献２】特開２０１６−２０４９１９号公報
【発明の概要】
【発明が解決しようとする課題】
【０００５】  特許文献１の排水システムでは、便器と下水本管の間にある排水管に貯留部が設けられている。この貯留部は、マンションなどの建物の地下スペースに下り勾配に設置されているが横長据え付け構造であり、１階部分が浸水して２階に避難するようなレベルの非常時では、便器も水没状態となり、全く使用できない。また、特許文献２の非常時対応水洗トイレは、便器、給水タンクおよび汚水貯留タンクから構成されているが、非常時には、汚水を送水ポンプで貯留タンクへ送る手段が取られ、汚水を送水ポンプで送水可能とする。【０００６】  特許文献１に記載の排水システムは、地下スペースや地表面に設置する横長貯留槽であり、１階が水没する場合には使用ができなくなる恐れがある。また、横長貯留槽の排出口の周辺端部には排泄物が残留しやすく、平常時の使用において悪臭が発生する恐れがある。特許文献２に記載の非常時対応水洗トイレは、早期に電気が使用できることを想定している。【０００７】  本発明は、集中豪雨による河川の氾濫による家屋の浸水被害や土砂災害等の想定外の規模により、電気、上下水道を含むライフラインが遮断されて、復旧に数日間を要するような想定外の非常時において、使用することのできる非常時対策用水洗トイレ設備を提供することを目的とする。
【課題を解決するための手段】
【０００８】  上記課題は、平常時は水洗トイレとして使用し、非常時は上下水道及び電気が使用できなくても使用可能な災害トイレとして使用できる水洗トイレ設備であって、便器と、便器の上方に配置される貯水タンクと、便器の下方に配置される汚水貯留タンクから構成され、該汚水貯留タンクは、縦型タンクであり、その内部側面は適所の高さから底面に向けてテーパー状（コーン状ともいう）に形成され、その先端部分に排出口を設けており、該排出口は、平常時には前記汚水貯留タンク上部より吊り下げられる漏斗栓を開栓状態に、非常時には前記漏斗栓により密栓状態に保持されることを特徴とする水洗トイレ設備を提供することによって解決される。【０００９】  本発明においては、便器と汚水貯留タンクとを繋ぐ汚水管の途中に、フロート式弁を設けて水位が便器より上方に上昇するときに該フロート弁が作動して前記便器廻りからの浸水を阻止して、汚水貯留タンクの浸水による満タン状態なるのを防ぐ手段を備えることが好ましい。【００１０】  また本発明においては、便器を地上より高い位置で、少なくとも建物の２階床面に据え付けることを基準に、便器より上方に貯水タンク、下方に汚水貯留タンクを配設して、汚水を流れ勾配で処理することも好ましい。
【発明の効果】
【００１１】  以上のように、本発明によって、集中豪雨による河川の氾濫による家屋の浸水被害や土砂災害等の想定外の規模により、電気、上下水道を含むライフラインが遮断されて、復旧に数日間を要するような想定外の非常時において、使用することのできる非常時対策用水洗トイレ設備を提供することが可能になる。
【図面の簡単な説明】
【００１２】
【図１】本発明の水洗トイレ設備を表す概略図
【図２】本発明の汚水貯留タンクの排出口の塞栓を説明する説明図
【図３】本発明の水位上昇、下降に於けるフロート式弁の開閉時の説明
【発明を実施するための形態】
【００１３】  本発明は汚水貯留タンク１、貯水タンク２、便器３、漏斗栓６からなり、平常時には上水道５からの水は、メンテナンス用ストップ弁９を開いたまま、その上の逆止弁１０を通り、貯水タンク２の上内側にボールタップ１３で貯水タンク２の水位の調整をし、常時満水状態を維持する。貯水タンク２の下部からの繋ぎ配管途中のメンテナンス用バルブ９を経て、便器３で汚物を汚水化して汚水貯留タンク１への繋ぎ配管途中に、水位の上昇対策用  フロート式ボール弁１４を通過して汚水貯留タンク１に流れる、汚水貯留タンク１の内側下部に備えている漏斗栓６を開いたまま又メンテナンス用バルブ１２も開いた状態で汚水貯留タンク１の汚水は下水道本管４から処理設備に送られるが非常時には汚水貯留タンク１の内側下部に備えている漏斗栓６を閉して汚水を一時溜め置きして仮設トイレの設置を待つと共に、下水道４が使用可能となれば漏斗栓６を開にして、通常の水洗トイレに戻ることが出来る。
【００１４】  本発明に係る水洗トイレは便器３より高い位置に設けられた便器に流す貯水タンク２があって、上水道から送られてくる水は、貯水タンク２内のボールタップ１３で制御されて、常時満タン状態にあり便器３に流す水と便器３からの汚物を一緒に汚水貯留タンク１に溜める。汚水貯留タンク１は縦型で、そのタンクの底面から約１／３〜１／４辺りから下部がテーパー状に形成され汚物が中央排出口８に集り流れやすくなっている。貯水タンク２及び汚水貯留タンク１の容量は避難者人数を想定して設計されるが、例えば７０００
2020148079.tif 000003
日間分のトイレの使用が確保でき、仮設トイレの設置が完了すれば仮設トイレの使用が可能となる。
【００１５】  上記の汚水貯留タンク１の排出口８はコーン状に形成され内側底に設けられた漏斗型排出口８を経て下水道に流れているが、災害時に下水のトラブルで使用できなくなれば、漏斗型排出口８を、漏斗栓６で塞ぐ構造で有り、漏斗栓６の操作も外部が水没の恐れがあるので、汚水貯留タンク１の上部に開閉の操作ができるハンドルを備えている。このハンドル操作により漏斗栓６が下降されるときその底部のガイド棒１５により漏斗栓６は容易に排出口８に導かれ、該排出口を塞ぐ事が出来る。
【００１６】  水洗トイレの据え付け場所は、建物の２階フロアーを想定していて貯水タンク２から配管で、水洗トイレに繋ぎ、便器３の排水口から汚水貯留タンク１に配管で繋ぎ込みをするが、想定外の津波等で水位が上昇して、便器３より上に水位の上昇があると、便器と蓋便座の辺りから浸水して、汚水貯留タンク１への満タンが予想されるので、便器３と汚水貯留タンク１の繋ぎ配管の間にフロート式弁があり、水で浮くフロートの浮力で作動して閉になり，上昇してきた水の浸水を阻止出来る、又水が引けばフロートが下がり、バルブは開になる構造である。
【符号の説明】
【００１７】  １      汚水貯留タンク
２      貯水タンク
３      便器
４      下水道
５      上水道
６      漏斗栓
７      漏斗栓開閉機
８      排出口
９      ストップ弁
１０    逆止弁
１１    エアー抜き
１２    メンテナンス用バルブ
１３    ボールタップ
１４    フロート式弁
１５    ガイド棒
【図１】
2020148079.tif 000004
【図２】
2020148079.tif 000005
【図３】
2020148079.tif 000006